(57)【要約】【課題】装置内へ積極的に外気を導入せずに、装置内の機器及び部品の冷却性能を向上できるディスク装置を提供する。【解決手段】ディスク装置１０は、筐体１１と、筐体１１内に設けられると共に、ディスク配置面１３ａを備えたディスク配置部１３と、筐体１１の底面にある底板３０と、ディスク配置部１３の下に設けられる基板２４と、ディスク配置部１３のディスク載置面１３ａに載置するディスクＤと、ディスクＤを回転させるディスク駆動部２２と、を備え、ディスクＤの回転によって生ずるディスクＤの径方向外側における風圧を利用して、底板３０と基板２４の間に空気を導く空気導入部１４を設けた。【選択図】図２
2012174301.tif 000002
【特許請求の範囲】
【請求項１】
筐体と、
前記筐体内に設けられると共に、ディスクが載置されるディスク配置面を備えたディスク配置部と、
前記筐体の底面にある底板と、
前記ディスク配置部の下側に設けられる基板と、
前記ディスクを回転させるディスク駆動部と、
を備え、
前記ディスクの回転によって生ずる前記ディスクの径方向外側における風圧により前記底板と前記基板の間へと空気を導く空気導入部を設けたことを特徴とするディスク装置。
【請求項２】
請求項１記載のディスク装置であって、
前記空気導入部は、前記ディスク配置面に配置された前記ディスクの径方向外側に位置することを特徴とするディスク装置。
【請求項３】
請求項１又は２に記載のディスク装置であって、
前記空気導入部は、前記ディスク配置部の前面パネルから遠い側をディスク径の外方向に向けて下降するように傾斜させた第１の斜面と前記筐体の前記前面パネルと対向する面の内側にディスク径の外方向に向けて下降する第２の斜面で形成され、かつ、前記筐体の背面側に前記空気の上昇を防ぐように下側に傾斜した傾斜面が形成されたことを特徴とするディスク装置。
【請求項４】
請求項３に記載のディスク装置であって、
前記ディスク配置部は、後方に調整可動部を備え、前記調整可動部の根元部に設けられた支軸を中心に前記調整可動部を揺動移動させ、前記支軸は前記ディスクの回転数に連動して回転制御部よりモータによって制御されて、前記ディスクが低回転数の時には前記調整可動部が倒れて前記空気導入部の間隔を広くし、前記ディスクの回転数が高回転の時には前記調整可動部が上がり、前記空気導入部の間隔を狭くなるように設定して前記空気導入部の間隔がそれぞれ制御されるようにしたことを特徴とするディスク装置。
【請求項５】
請求項１〜４ のいずれか１項に記載のディスク装置であって、
前記底板に空気吐き出し部を設けたことを特徴とするディスク装置。
【請求項６】
請求項１〜５のいずれか１項に記載のディスク装置であって、
前記空気吐き出し部は、前記基板を支えるために前記底板を折り曲げた折り曲げ部の傾斜面の前記基板に近い箇所に孔状に複数形成されたことを特徴とするディスク装置。
【発明の詳細な説明】
【技術分野】
【０００１】
本発明は、筺体内に機器類が配置されたディスク装置に関する。
【背景技術】
【０００２】
従来、光ディスク等の再生や光ディスク等に記録・再生するためのディスク装置は、内部に備える構成機器やデバイス（集積ＩＣ等）が発熱源となり、前記構成機器等の発生する熱がディスク装置の性能や耐久性に大きな影響を与える。このため、ディスク装置では、放熱性能を向上させるための対策が施されている。例えば、冷却ファンによって外気を導入させ、筐体に孔を設けることにより、外気を排出するようなディスク装置が開示されている。
【先行技術文献】
【特許文献】
【０００３】
【特許文献１】特開２００７−１７２７９９号公報
【発明の概要】
【発明が解決しようとする課題】
【０００４】
前記従来の光ディスク等の再生や光ディスク等に記録・再生するためのディスク装置では、内部温度の上昇を冷却ファンによって冷却する方法をとっていたが、冷却ファンによって外気をディスク装置内に導入した場合、外気とともに空気中の塵埃等もディスク装置内に取り込んでしまい、内部汚染を招くおそれがある。特に、ディスクから情報を読み取るピックアップ部や、ディスクに情報を記録する場合は、汚れに対して敏感であるため、単に外気を導入したのでは、これらの耐久性を低下させるおそれがあり、内部汚染の問題を回避するため、ピックアップ部等が配置される空間を閉鎖空間とする手法もある。
【０００５】
しかし、前記手法では、放熱が不十分となり、閉鎖空間にすることで、近年集積度が高まっているＬＳＩ（ＩＣ）の温度上昇が激しくなる。この放熱の不十分な状態は、ＬＳＩの破壊を起こす可能性があり、部品の放熱は課題であった。
【０００６】
そこで、本発明は、上述した課題をその一例として解決するものであって、装置内へ積極的に外気を導入せずに、装置内の機器及び部品の冷却性能を向上できるディスク装置を提供することを目的とする。
【課題を解決するための手段】
【０００７】
請求項１に記載の発明は、筐体（11）と、前記筐体（11）内に設けられると共に、ディスク（D）が載置されるディスク配置面（13a）を備えたディスク配置部（13）と、前記筐体（11）の底面にある底板（30）と、前記ディスク配置部（13）の下側に設けられる基板（24）と、前記ディスク（D）を回転させるディスク駆動部（22）と、を備え、前記ディスク（D）の回転によって生ずる前記ディスク（D）の径方向外側における風圧により前記底板（30）と前記基板（24）の間へと空気を導く空気導入部（14）を設けたことを特徴とする。
【０００８】
請求項２に記載の発明は、請求項１記載のディスク装置（10）であって、前記空気導入部（14）は、前記ディスク配置面（13a）に配置された前記ディスク（D）の径方向外側に位置することを特徴とする。
【０００９】
請求項３に記載の発明は、請求項１又は２に記載のディスク装置（10）であって、前記空気導入部（14）は、前記ディスク配置部（13）の前面パネル（12）から遠い側をディスク径の外方向に向けて下降するように傾斜させた第１の斜面（16a）と前記筐体（11）の前記前面パネル（12）と対向する面の内側にディスク径の外方向に向けて下降する第２の斜面（21a）で形成され、かつ、前記筐体（11）の背面側に前記空気の上昇を防ぐように下側に傾斜した傾斜面（21b）が形成されたことを特徴とする。
【００１０】
請求項４に記載の発明は、請求項３に記載のディスク装置（10）であって、前記ディスク配置部（13）は、後方に調整可動部（16）を備え、前記調整可動部（16）の根元部に設けられた支軸（15）を中心に前記調整可動部（16）を揺動移動させ、前記支軸（15）は前記ディスク（D）の回転数に連動して回転制御部（41）よりモータ（45）によって制御されて、前記ディスク（D）が低回転数の時には前記調整可動部（16）が倒れて前記空気導入部（14）の間隔（H′）を広くし、前記ディスク（D）の回転数が高回転の時には前記調整可動部（16）が上がり、前記空気導入部（14）の間隔（H）を狭くなるように設定して前記空気導入部（14）の間隔（H，H′）がそれぞれ制御されるようにしたことを特徴とするディスク装置。
【００１１】
請求項５に記載の発明は、請求項１〜４ のいずれか１項に記載のディスク装置（10）であって、前記底板（30）に空気吐き出し部（31）を設けたことを特徴とする。
【００１２】
請求項６に記載の発明は、請求項１〜５のいずれか１項に記載のディスク装置（10）であって、前記空気吐き出し部（31）は、前記基板（24）を支えるために前記底板（30）を折り曲げた折り曲げ部（30a）の傾斜片の前記基板（24）に近い箇所に孔状に複数形成されたことを特徴とする。
【発明の効果】
【００１３】
本発明によれば、ディスクの回転によって生ずる空気の圧力を利用して、筐体の底板と基板との間の空間に空気を導くことにより、筐体の底板と基板との間の空間内の空気の流れを活性化させ、基板上の部品を冷やす効果を得ることができる。また、外気を取り込むファンを設ける必要がなく、ディスクの回転を利用したので、従来の狭空間での放熱が困難であった筐体の底板と基板との間の空間内における基板上の部品の発熱を確実に抑制することができる。これにより、従来は筐体に放熱シートを通じで部品の熱を放熱していたが、この放熱シートが不要になるため、部品を削減することができ、その分低コスト化を図ることができる。また、部品の発熱を抑制することにより、部品の寿命及び信頼性の向上を図ることができる。
【図面の簡単な説明】
【００１４】
【図１】本発明の実施形態のディスク装置を示す斜視図である。
【図２】図１中Ｘ−Ｘ線に沿う断面図である。
【図３】前記ディスク装置の空気吐き出し部分の断面図である。
【図４】前記ディスク装置の放熱部分の拡大概略断面図である。
【図５】前記ディスク装置の筐体内の概要を示す平面図である。
【図６】前記ディスク装置のディスクトレイの後部側を示す斜視図である。
【図７】前記ディスクトレイと前記筐体の背面との間に設けた空気導入部の隙間を狭めた状態を示す断面図である。
【図８】前記空気導入部の隙間を広げた状態を示す断面図である。
【図９】前記空気導入部の隙間を制御する回路を示す説明図である。
【図１０】前記空気導入部の隙間が狭い場合と広い場合の実験による風力測定結果を表にした説明図である。
【発明を実施するための形態】
【００１５】
以下、本発明の実施形態を図面に基づいて説明する。
【００１６】
図１は本発明の実施形態のディスク装置を示す斜視図、図２は図１中Ｘ−Ｘ線に沿う断面図、図３は同ディスク装置の空気吐き出し部分の断面図、図４は同ディスク装置の放熱部分の拡大概略断面図、図５は同ディスク装置の筐体内の概要を示す平面図、図６はディスク装置のディスクトレイの後部側を示す斜視図、図７は同ディスクトレイと筐体の背面との間に設けた空気導入部の隙間を狭めた状態を示す断面図、図８は同空気導入部の隙間を広げた状態を示す断面図、図９は同空気導入部の隙間を制御する回路を示す説明図、図１０は同空気導入部の隙間が狭い場合と広い場合の実験による風力測定結果を表にした説明図である。
【００１７】
図１に示すディスク装置１０は、一例としてＤＶＤ（Digital  Versatile  Disc）やＢＤ（Blu-ray  Disc） 等の光ディスク（ディスク）Ｄに記録された情報を再生するものである。尚、このディスク装置１０は、少なくとも光ディスクＤに記録された情報を再生できればよく、さらに光ディスクＤへ情報を記録する機能を備えていてもよい。
【００１８】
ディスク装置１０は、装置本体２０を内部に配置する筺体１１を備える。筺体１１は、外形形状が金属を板金加工して箱形に製造される。筺体１１の前面には、光ディスクＤの取り出し側に取り出しパネル（前面パネル）１２が備えられる。この取り出しパネル１２の開口部１２ａより、光ディスクＤを配置するディスク配置部であるディスクトレイ１３ が取り出し、引き込みされるようになっている。即ち、ディスクトレイ１３ がパネル１２の開口部１２ａから外へ引き出されると、この位置で、ディスクトレイ１３に設けられるディスク配置面１３ａに光ディスクＤを搭載でき、また、ディスクトレイ１３ から光ディスクＤを取り出すことができる。ディスクトレイ１３に光ディスクＤが配置されると、図示しないディスクトレイ駆動モータによって、図６に示すように、ディスクトレイ１３は装置本体２０内へ引き込まれる。尚、本実施形態においては、ディスクトレイ（搬送トレイ）１３を用いたトレイローディング方式について説明するが、この方式に限られず、例えば、オープントップタイプのディスク装置にも適用が可能である。
【００１９】
図２に示すように、装置本体２０は、光ディスクＤを回転させるディスク駆動部２２、情報読み取り部２３、回路基板２４等の機器が取り付けられるシャーシ（枠体）２１を備え、ディスク駆動部である電気モータ２２及び情報（記録）読み取り部であるピックアップ２３は、例えば、金属板により構成されるシャーシ２１のフレームに取り付けられる。
【００２０】
情報読み取り部であるピックアップ２３は、光ディスクＤに対して情報の記録又は読み取りのうち少なくとも一方を実行する。ディスク駆動部である電気モータ２２は、例えばスピンドルモータ等であり、後述するディスク保持部に保持されて光ディスクＤを回転させる。ディスク駆動部の電気モータ２２は、動作中に熱を放出して発熱源となる。
【００２１】
駆動側のディスク保持部は、ターンテーブル２５と、光ディスクＤの中心に嵌合する略円柱状のディスク保持ボス２６とで構成される。ターンテーブル２５には磁石が組み込まれており、ターンテーブル２５の磁石とクランパ（ディスク保持部）２７の金属部の吸着力とによって、クランパ２７が光ディスクＤを挟持すると、光ディスクＤは駆動側のディスク保持部に保持される。
【００２２】
ピックアップ（情報読み取り部）２３は、レーザーダイオード等の図示しない光源と、この光源からの光を収束して光ディスクＤに照射するレンズ２３ａと、光ディスクＤから反射された光を検出する図示しない光センサとで構成される。そして、ピックアップ２３は、光ディスクＤの回転中に、その径方向内側から径方向外側へ向かって光ディスクＤの径方向と平行に直線移動する。その過程で、ピックアップ２３は、光ディスクＤの情報記録面に記録された情報を読み取る。ピックアップ２３に使用されるレーザーダイオード等は発熱量の大きい半導体であり、発熱源となる。
【００２３】
図２及び図４に示すように、シャーシ２１には、回路基板（基板）２４ が取り付けられ、回路基板２４は、シャーシ２１の下側部分にあって、底板３０との間に配置される。回路基板２４には、電気モータ（ディスク駆動部）２２やピックアップ２３の動作を制御したり、ピックアップ２３によって読み取った光ディスクＤの情報を信号処理したりするＣＰＵ２８や図示しないコンデンサ等の電気・電子部品が取り付けられている。ここで、回路基板２４に取り付けられている電気・電子部品、ＣＰＵ２８は、動作中に熱を放出し発熱源となる。
【００２４】
図４は回路基板２４に実装されたＣＰＵ２８を放熱するための構造を拡大した概略断面図である。底板３０と回路基板２４に実装されたＣＰＵ２８の間には放熱材２９があり、この放熱材２９は、ＣＰＵ２８の発熱を底板３０へ伝え放熱している。これにより、ＣＰＵ２８の発熱が抑えられる。
【００２５】
ここで、装置本体２０内で光ディスクＤが回転すると、光ディスクＤの表面と接触している空気は、取り出しパネル１２の隙間から空気が入りこみ、光ディスクＤの表面との摩擦力によって引きずられて光ディスクＤと同方向に回転する。そして、光ディスクＤの表面と接触している空気は、光ディスクＤの回転によって生ずる遠心力によって光ディスクＤの径方向外側へ放出される。この光ディスクＤを回転させて生じる空気の流れ（風圧）を利用して、この空気の流れを筐体１１の底面である底板３０に導くために、筐体１１の背面とディスクトレイ１３の後部との間に後述する空気導入部１４が設けられている。
【００２６】
図２に示すように、装置本体２０内は、光ディスクＤ及びディスクトレイ１３によって、ピックアップ２３や回路基板２４で仕切られた空間Ａと、底板３０と回路基板２４で仕切られた空間Ｂ，Ｃとに仕切られる構造であり、前述した熱源が多く存在する前記空間Ａ及び空間Ｂの各空間内に空気を流して冷却するために、図２，図５〜図８に示すように、ディスクトレイ１３の後部の一部を筐体１１の背面側のシャーシ２１に対して上下方向に可動させて隙間Ｈ，Ｈ′を形成してなる空気導入部１４を設けている。この空気導入部１４は、ディスクトレイ１３の取り出しパネル１２から遠い側をディスク径の外方向に向けて下降するように傾斜させた第１の斜面１６ａ（後述する可動調整部１６に形成）と筐体１１の取り出しパネル１２と対向する面の内側にディスク径の外方向に向けて下降する第２の斜面２１ａとで形成されている。また、筐体１１の背面側に空気の上昇を防ぐように下側に傾斜した傾斜面２１ｂが形成されている。そして、この空気導入部１４の隙間Ｈ，Ｈ′により、光ディスクＤを回転させて生じる空気の流れを筐体１１の底面である底板３０に導いて、底板３０と回路基板２４で仕切られた空間Ｂに空気を流してＣＰＵ２８を冷却するようになっている。さらに、図２に示すように、空気の逆流を抑えるために、シャーシ２１の背面側に傾斜面２１ａ，２１ｂを形成することで、より回路基板２４側を有効に冷却するようになっている。
【００２７】
光ディスクＤを回転させる際に生じる空気の流れ（風圧）が小さい場合でも、筐体１１の底板３０とその内側に取り付けられた回路基板２４との間の空間Ｂ内に空気の流れを積極的に発生させるために、ディスクトレイ１３の後方部分に両側の支軸１５，１５で上下方向に動く調整可動部１６を設けている。この調整可動部１６は、図９に示すマイコン制御部４０により、光ディスクＤの回転数に応じてその傾斜する角度が制御されるようになっている。
【００２８】
図７及び図８に示すように、ディスクトレイ１３は、その後部に調整可動部１６を備えている。この記調整可動部１６の根元部に設けられた一対の支軸１５，１５を中心に調整可動部１６が揺動移動するようになっている。即ち、ディスクトレイ１３の後部に設けられた調整可動部１６が両側の支軸１５，１５を中心に揺動することにより、空気導入部１４との隙間Ｈ，Ｈ′が確保される。また、シャーシ２１の背面側に斜めに凹んだ傾斜面２１ａ，２１ｂを形成することで、空気の逆流を防止するようになっている。これにより、空気導入部１４に空気が流れやすくなると共に、逆流も抑えられる。
【００２９】
図８は図７に比べ、支軸１５を中心に下側に調整可動部１６が下がり、この調整可動部１６の先端部１６ｂがシャーシ２１に取り付けられたスポンジ性の逆流防止材３２に当たるまで調整可動部１６が下がる構造になっている。逆流防止材３２を設けることにより、比較的少ない量ではあるが、空気導入部１４からの空気流れ込みを防止している。調整可動部１６を下げることにより、空気導入部１４の隙間Ｈ，Ｈ′が確保され、空気導入部１４を形成する調整可動部１６の先端部１６ｂとシャーシ２１の背面側との距離は、隙間Ｈ＜隙間Ｈ′の関係にある。図２の矢印Ｋ，Ｑは、空気導入部１４から底板３０と回路基板２４で仕切られた空間Ｂへの空気の流れを示す。これにより、空気導入部１４から導かれた空気は、空間Ｂに向かって流れ易い構造となっている。
【００３０】
この空気導入部１４に光ディスクＤの回転によって起こる空気の流れを、より多く導き出すためのディスクトレイ１３の調整可動部１６の可動に関する制御について、図９を用いて説明する。
【００３１】
光ディスクＤを回転させるスピンドルモータ等の電気モータ２２にて光ディスクＤの回転を制御し、マイコン制御部４０の回転制御部４１により内外周の回転数を制御し、その回転情報検出部４２の回転情報を用いて回転判断検出部４３により光ディスクＤの回転数を判断する。例えば、ピックアップ２３が内周にいるときには光ディスクＤの回転が速くなり、空気の流れはより圧力が高くなり、外径方向への圧力も高まる。これを利用して、図７に示すように、空気導入部１４の隙間Ｈを狭くするように調整可動部１６の先端部１６ｂを上へ上げる方向にトレイモータ回転制御部４４で回転制御し、トレイモータ４５により一方の支軸１５を動かすことにより、高い圧力を有効に空気導入部１４へ導くことが可能となる。
【００３２】
また、反対にピックアップ２３が外側にいる場合には、光ディスクＤの回転数が低くなり、空気の圧力も小さくなる、図７に示すような狭い隙間Ｈであると有効に空気を導くことはできない。そこで、図８に示すように、ディスクトレイ１３の調整可動部１６の先端部１６ｂを下げることで隙間Ｈ′を図７の場合より広くとることができ、空気の流れを有効に導くことができる。これは同様に、回転判断検出部４３の回転判断によりトレイモータ４５を逆方向に回転するように制御することにより実現可能となる。これらはマイコン制御部４０により全てコントロールされるようになっている。
【００３３】
このように、光ディスクＤの回転数が遅い時は、空気の圧力も低いので空気の流れを空気導入部１４に導くようにするために、図８に示すように、空気導入部１４の隙間Ｈ′を広くすることで効率的に下側へ空気を導くことができる。また、図７に示すように、光ディスクＤが高速回転の時には逆に空気導入部１４の隙間Ｈを狭くすることで、空気の圧力を高めて強力にして下側へ空気を流し込ませることができる。
【００３４】
図８に示す場合は、ディスクトレイ１３の調整可動部１６の先端部１６ｂは逆流防止材３２にぶつかってしまうが、例えば、スポンジ材のような柔らかい素材を使用することにより逆流防止の効果も十分にはたすことができ、かつ、調整可動部１６の先端部１６ｂが上側に移動した際には元の状態に復帰できるようになっている。実験により、図７及び図８の流速測定ポイントＰに示すところに風力計を置いて測定をした結果を図１０に表で示す。
【００３５】
例えば、高速回転数を１００００ｒｐｍ、低速回転数を２０００ｒｐｍとして隙間ＨとＨ′での比較をした。図１０の結果から見ると、高速回転の隙間が狭いが一番の風速が速い結果を得た。また、低速の時には隙間が狭いとほとんど空気の流れは無いということから、低速時には隙間を広くすることが有効である。
【００３６】
これにより、光ディスクＤび回転数によってディスクトレイ１３の調整可動部１６の傾斜角度を制御することにより、空気の圧力を最大限に活かし、空気導入部１４に空気を流入するような構造としたことで、底板３０と回路基板２４で仕切られた空間Ｂ内の温度上昇は軽減できる。さらに、図８に示すように、ディスクトレイ１３の調整可動部１６の先端部１６ｂを下げて空気導入部１４の隙間Ｈ′を広くすることで、更なる冷却効果を得ることができる。また、図３に示すように、底板３０の中央部を折り曲げた折り曲げ部３０ａに空気吐き出し部３１を設けることにより、より空気の循環を加速させることが可能となる。即ち、この空気吐き出し部３１は、底板３０の中央部を折り曲げて略逆Ｖ字状に傾斜させた折り曲げ部３０ａの長片部分（回路基板２４に近い箇所）に矩形状に形成された複数の孔から成り、筐体１１の底板３０とその内側に取り付けられた回路基板２４の間の空間Ｂ内の空気の滞留を防ぎ、外気に空気を通し易くなっている。また、折り曲げ部２０の頂部で回路基板２４を支える構造になっている。
【００３７】
また、図３に示すように、底板３０の中央部を折り曲げて折り曲げ部３０ａを形成することで、空間Ｂを空間Ｃ（空間Ｃは電気モータ２２の下側の空間であり発熱部品が存在する）から分離させることが可能となりより、冷却空間をより限定することで、空気循環を加速させることができる。
【００３８】
また、底板３０の中央部を逆Ｖ字状に折り曲げて折り曲げ部３０ａを形成することで、外気前面からの粉塵、埃等を流入させることを軽減させることが可能となる。
【００３９】
このように、空気導入部１４及び空気吐き出し部３１を備えた装置本体２０において、光ディスクＤの回転と共に、空気が循環され、積極的に回路基板２４に実装された部品を効率的に冷却できる。また、従来は、底板３０と回路基板２４で仕切られた空間Ｂの狭空間での放熱は困難であったが、空気の循環の加速により発熱部品の温度上昇による空間Ｂの温度上昇を軽減でき、これにより、放熱材２９が不要若しくは放熱材２９の体積を小さくできる。このように、装置本体２０の機器の冷却性能をより一段と向上させることができる。
【００４０】
尚、前記実施形態によれば、ディスクトレイの後部の調整可動部をトレイモータで可動させたが、ディスクトレイ駆動モータを兼用して調整可動部を可動させたり、ディスクトレイをスライドさせる構造の一部とバネを利用して調整可動部を可動させるようにしても良い。
【符号の説明】
【００４１】
１０  ディスク装置
１１  筐体
１２  取り出しパネル（前面パネル）
１３  ディスクトレイ（ディスク配置部）
１３ａ  ディスク配置面
１４  空気導入部
１５  支軸
１６  調整可動部（ディスクトレイの後部）
１６ａ  第１の斜面
２１ａ  第２の斜面
２１ｂ  傾斜面
２２  スピンドルモータ（ディスク駆動部）
２３  ピックアップ（情報読取部）
２４  回路基板（回路）
３０  底板
３０ａ  折り曲げ部
３１  空気吐き出し部
４１  回転制御部
４５  トレイモータ（モータ）
Ｂ  底板と回路基板で仕切られた空間
Ｄ  ディスク
Ｈ  空気導入部の狭い隙間
Ｈ′空気導入部の広い隙間
【図１】
2012174301.tif 000003
【図２】
2012174301.tif 000004
【図３】
2012174301.tif 000005
【図４】
2012174301.tif 000006
【図５】
2012174301.tif 000007
【図６】
2012174301.tif 000008
【図７】
2012174301.tif 000009
【図８】
2012174301.tif 000010
【図９】
2012174301.tif 000011
【図１０】
2012174301.tif 000012